(57)【要約】【課題】引き摺りトルクを抑制しつつ、耐久性を効果的に向上させる。【解決手段】シャフト１０と一体回転するシンクロハブ１１と、シャフト１０に回転可能に設けられた変速ギヤ１２，１３と、シンクロハブ１１の外周歯と常時噛合すると共に、軸方向に移動して変速ギヤ１２，１３のドグギヤ１２Ａ，１３Ａと選択的に噛合可能な内周歯を有するシンクロスリーブ３０と、磁性体で形成されると共にシンクロハブ１１と１２Ａ，１３Ａとの間に設けられたシンクロナイザリング１６，１７と、シンクロハブ１１に設けられると共にシンクロナイザリング１６，１７に磁力を作用させてシンクロナイザリング１６，１７をシンクロハブ１１側に引き寄せる磁石２０とを備え、磁石２０をシンクロハブ１１の軸方向幅よりも幅狭に形成して、磁石２０とシンクロナイザリング１６，１７との間にクリアランスＣを確保した。【選択図】図１
2017020625.tif 000002
【特許請求の範囲】
【請求項１】
シャフトと一体回転するシンクロハブと、
前記シャフトに回転可能に設けられた変速ギヤと、
前記シンクロハブの外周歯と常時噛合すると共に、軸方向に移動して前記変速ギヤのドグギヤと選択的に噛合可能な内周歯を有するシンクロスリーブと、
磁性体で形成されると共に、前記シンクロハブと前記ドグギヤとの間に設けられたシンクロナイザリングと、
前記シンクロハブに設けられると共に、前記シンクロナイザリングに磁力を作用させて当該シンクロナイザリングを前記シンクロハブ側に引き寄せる磁石と、を備え、
前記磁石を前記シンクロハブの軸方向幅よりも幅狭に形成して、当該磁石と前記シンクロナイザリングとの間に所定のクリアランスを確保した
変速機の同期装置。
【請求項２】
前記シンクロスリーブの前記磁石と前記シンクロナイザリングとのクリアランスに対応する部分に、当該シンクロスリーブを径方向に貫通する貫通開口が形成された
請求項１に記載の変速機の同期装置。
【請求項３】
前記シンクロハブの外周部に径方向内方に窪む複数の凹部が等間隔に形成され、前記磁石が前記凹部内に収容された
請求項１又は２に記載の変速機の同期装置。
【発明の詳細な説明】
【技術分野】
【０００１】
本発明は、変速機の同期装置に関する。
【背景技術】
【０００２】
従来、変速機の同期装置として、一対のシンクロナイザリングにスプリングを架け渡し、これらシンクロナイザリングをスプリングの付勢力によってシンクロハブ側に引き寄せることで、ニュートラル時にシンクロナイザリングがドグギヤと接触することで引き起こされる所謂引き摺りトルクを防止する技術が知られている。
【０００３】
また、この種の同期装置として、磁性体で形成されたシンクロナイザリングを磁石で形成したキーによってシンクロハブ側に引き寄せることで、ニュートラル時の引き摺りトルクの発生を防止する技術も提案されている（例えば、特許文献１参照）。
【先行技術文献】
【特許文献】
【０００４】
【特許文献１】特開平６−２５７６２４号公報
【発明の概要】
【発明が解決しようとする課題】
【０００５】
ところで、上述のスプリングを用いる技術では、回転数の上昇によってスプリングに強い遠心力が作用すると、特に高回転時はスプリングが遠心力に耐えきれなくなり、スプリングの破損を招く可能性がある。また、長期間の使用によってスプリングの付勢力が劣化により低下すると、引き摺りトルクの発生を防止できなくなる可能性もある。
【０００６】
また、一般的に磁石は、その耐久性や耐摩耗性が低い傾向がある。このため、上述の磁石を用いる技術では、移動体であるキーに磁石を用いているため、同期動作の繰り返しによってキーの摩耗が進展すると、同期の精度を維持できなくなる可能性がある。また、同期動作の繰り返しによってキーに疲労が蓄積した場合や、同期動作時の接触によってキーに大きな反力が作用した場合には、磁石の破損を招いてしまう可能性もある。
【０００７】
開示の同期装置は、引き摺りトルクの発生を抑制しつつ、耐久性を効果的に向上させることを目的とする。
【課題を解決するための手段】
【０００８】
開示の同期装置は、シャフトと一体回転するシンクロハブと、前記シャフトに回転可能に設けられた変速ギヤと、前記シンクロハブの外周歯と常時噛合すると共に、軸方向に移動して前記変速ギヤのドグギヤと選択的に噛合可能な内周歯を有するシンクロスリーブと、磁性体で形成されると共に、前記シンクロハブと前記ドグギヤとの間に設けられたシンクロナイザリングと、前記シンクロハブに設けられると共に、前記シンクロナイザリングに磁力を作用させて当該シンクロナイザリングを前記シンクロハブ側に引き寄せる磁石と、を備え、前記磁石を前記シンクロハブの軸方向幅よりも幅狭に形成して、当該磁石と前記シンクロナイザリングとの間に所定のクリアランスを確保したものである。
【０００９】
前記シンクロスリーブの前記磁石と前記シンクロナイザリングとのクリアランスに対応する部分に、当該シンクロスリーブを径方向に貫通する貫通開口が形成されたてもよい。
【００１０】
前記シンクロハブの外周部に径方向内方に窪む複数の凹部が等間隔に形成され、前記磁石が前記凹部内に収容されてもよい。
【発明の効果】
【００１１】
本発明の変速機の同期装置によれば、引き摺りトルクの発生を抑制しつつ、耐久性を効果的に向上させることができる。
【図面の簡単な説明】
【００１２】
【図１】本発明の一実施形態に係る変速機の一部を示す模式的な部分断面斜視図である。
【図２】本発明の一実施形態に係るシンクロハブを示す模式的な側面図である。
【図３】本発明の一実施形態に係るシンクロハブ及びシンクロナイザリングのニュートラル状態を径方向から視た模式的な図である。
【図４】本発明の一実施形態に係るシンクロスリーブを径方向から視た模式的な図である。
【発明を実施するための形態】
【００１３】
以下、添付図面に基づいて、本発明の一実施形態に係る変速機の同期装置を説明する。同一の部品には同一の符号を付してあり、それらの名称及び機能も同じである。従って、それらについての詳細な説明は繰返さない。
【００１４】
図１に示すように、変速機１のシャフト１０には、シンクロハブ１１が一体回転可能に設けられている。また、シャフト１０には、ベアリング１４，１５を介して変速ギヤ１２，１３が回転可能に軸支されている。各変速ギヤ１２，１３には、ギヤイン時に図示しないシフトフォークによってシフト移動されるシンクロスリーブ３０の内周歯と選択的に噛合可能なドグギヤ１２Ａ，１３Ａがそれぞれ設けられている。
【００１５】
シンクロハブ１１と各ドグギヤ１２Ａ，１３Ａとの間には、同期動作時に同期荷重を生じさせる一対のシンクロナイザリング１６，１７がそれぞれ設けられている。本実施形態において、これらシンクロナイザリング１６，１７は、例えば鉄等の磁性体金属材料で形成されており、後述する永久磁石２０の磁力によってシンクロハブ１１側に引き寄せられている。すなわち、ニュートラル時は、シンクロナイザリング１６，１７が永久磁石２０の磁力によってシンクロハブ１１に引き付けられ、各ドグギヤ１２Ａ，１３Ａから離反した状態に維持されることで、引き摺りトルクの発生が効果的に防止されるようになっている。
【００１６】
シンクロハブ１１は、その内周面をシャフト１０の外周面にスプライン嵌合された内側円環部１１Ａと、その外周面にシンクロスリーブ３０の内周歯と常時噛合する外周歯１１Ｂが設けられた外側円環部１１Ｃと、これら内側円環部１１Ａと外側円環部１１Ｃとを繋ぐ中間円環部１１Ｄとを備えている。外側円環部１１Ｃには、図２に示すように、径方向内方に所定の深さで窪む複数（例えば、三個）の凹部１１Ｅが周方向に等間隔に形成されている。これら各凹部１１Ｅには、詳細を後述する永久磁石２０がそれぞれ収容されている。
【００１７】
永久磁石２０は、略直方体に形成されており、図３に示すように、シンクロハブ１１の軸方向を長手方向として凹部１１Ｅの略中央に固定されている。また、永久磁石２０は、その長手方向の幅Ｗ１を凹部１１Ｅの軸方向幅Ｗ２よりも短く形成されている。すなわち、磁力によってシンクロハブ１１の側面に引き付けられたシンクロナイザリング１６，１７と、凹部１１Ｅ内に収容された永久磁石２０との間には、所定のクリアランスＣが必ず確保されるようになっている。
【００１８】
図４に示すように、シンクロスリーブ３０には、永久磁石２０とシンクロナイザリング１６，１７とのクリアランスＣに対応する位置に、シンクロスリーブ３０を径方向に貫通する複数（本実施形態では、例えば６個）の貫通開口３１が設けられている。すなわち、潤滑油に混入して永久磁石２０に付着した異物類は、クリアランスＣ内に堆積することなく、回転時の遠心力によって貫通開口３１から径方向外方に潤滑油と共に排出されるようになっている。
【００１９】
以上詳述したように、本実施形態の同期装置では、シンクロナイザリング１６，１７をシンクロハブ１１側に引き寄せる永久磁石２０がシンクロハブ１１の凹部１１Ｅ内に収容されると共に、永久磁石２０の幅Ｗ１が凹部１１Ｅの幅Ｗ２よりも短く形成されている。すなわち、ニュートラル状態でシンクロナイザリング１６，１７がシンクロハブ１１の側面に引き付けられても、シンクロナイザリング１６，１７と永久磁石２０との間には、所定のクリアランスＣが必ず確保されるように構成されている。
【００２０】
したがって、本実施形態の同期装置によれば、ニュートラル状態でシンクロナイザリング１６，１７をドグギヤ１２Ａ，１３Ａから離反させて引きずりトルクの発生を効果的に抑止しつつ、クリアランスＣの確保によって永久磁石２０とシンクロナイザリング１６，１７との接触を確実に阻止することが可能となり、接触による永久磁石２０の摩耗や破損を効果的に防止することができる。
【００２１】
また、クリアランスＣを確保し、さらに、シンクロスリーブ３０のクリアランスＣに対応する位置に貫通開口３１を設けたことで、永久磁石２０の側面に付着した異物類は、クリアランスＣ内に堆積することなく遠心力によって貫通開口３１から効果的に排出されるようになっている。すなわち、異物の堆積によってニュートラル時にシンクロナイザリング１６，１７がドグギヤ１２Ａ，１３Ａ側に移動して押し付けられることを確実に防止できるように構成されている。
【００２２】
したがって、本実施形態の同期装置によれば、引き摺りトルクの発生を確実に防止しつつ、ニュートラル時にシンクロナイザリング１６，１７の位置が変化することで引き起こされる同期精度の低下を効果的に防止することができる。
【００２３】
なお、本発明は、上述の実施形態に限定されるものではなく、本発明の趣旨を逸脱しない範囲で、適宜変形して実施することが可能である。
【００２４】
例えば、上述の実施形態では、永久磁石２０の形状は略直方体であったが、クリアランスＣを確保できれば他の形状であってもよい。
【００２５】
また、永久磁石２０や凹部１１Ｅの個数は３個に限定されず、シンクロハブ１１の回転バランスを維持できる個数であれば、２個或は４個以上であってもよい。
【符号の説明】
【００２６】
１  変速機
１０  シャフト
１１  シンクロハブ
１１Ａ  内側円環部
１１Ｂ  外周歯
１１Ｃ  外側円環部
１１Ｄ  中間円環部
１１Ｅ  凹部
１２，１３  変速ギヤ
１２Ａ，１３Ａ  ドグギヤ
１４，１５  ベアリング
１６，１７  シンクロナイザリング
２０  永久磁石
３０  シンクロスリーブ
３１  貫通開口
Ｃ  クリアランス
【図１】
2017020625.tif 000003
【図２】
2017020625.tif 000004
【図３】
2017020625.tif 000005
【図４】
2017020625.tif 000006